(57)【特許請求の範囲】
【請求項１】
水平上面を有するキャスタ付きのワゴン本体と、
前記ワゴン本体上に該ワゴン本体の水平上面に対して任意の角度に傾動可能に設けられた商品載置体と、
前記商品載置体と前記ワゴン本体間に連結され、前記商品載置体の傾動操作に連動して伸縮されるとともに前記商品載置体に対して傾斜角度が大きくなる方向に付勢力を付与する付勢手段と、
前記ワゴン本体の水平上面に該ワゴン本体の前後方向に延在して配設され、この延在方向に前記商品載置体の傾斜角度を異なる角度に設定する複数の係止部を有する傾斜角度設定手段と、
前記商品載置体に揺動可能に連結され、前記商品載置体を傾斜姿勢に支持する支持手段を備え、
前記支持手段の揺動端を前記傾斜角度設定手段の任意１つの係止部に係合して前記商品載置体を任意の傾斜姿勢に支持することを特徴とする商品陳列用ワゴン。
【請求項２】
前記傾斜角度設定手段の上方に該傾斜角度設定手段から所望間隔離して平行に配設され、前記支持手段の揺動端を傾斜角度設定手段の延在方向に移動可能に案内する案内部材を備えることを特徴とする請求項１記載の商品陳列用ワゴン。
【請求項３】
前記支持手段の揺動端を前記傾斜角度設定手段の係止部に係止状態にロックするロック手段を備えることを特徴とする請求項１または２記載の商品陳列用ワゴン。
【請求項４】
前記支持手段は、該支持手段の揺動端を前記案内手段に沿って操作するための把手を備えることを特徴とする請求項１ないし３の何れか１つに記載の商品陳列用ワゴン。
【請求項５】
前記付勢手段はガススプリングであることを特徴とする請求項１記載の商品陳列用ワゴン。
【発明の詳細な説明】
【０００１】
【発明の属する技術分野】
本発明は、青果等の商品陳列用ワゴンに関し、さらに詳しくは、ワゴン本体上に青果のような商品が陳列された商品載置体の傾斜角度を簡便に調節できるようにした商品陳列用ワゴンに関するものである。
【０００２】
【従来の技術】
オレンジやリンゴなどの丸物、ゴボーやねぎなどの長物等の青果を販売するに際して使用される商品陳列用ワゴンの商品載置体は、商品の取りやすさ、商品の見やすさ及び少ない商品量でもボリューム感のある陳列が可能なように、任意の傾斜角度に調節できる構成になっている。
従来、このような商品陳列用ワゴンとしては、特開平１１−１２８０３７号公報に示すものが知られている。
以下、この種従来の商品陳列用ワゴンについて、図６を用いて説明する。図６は従来における商品陳列用ワゴンの側面図である。
【０００３】
図６において、商品陳列用ワゴン５０は、自在キャスタ５１付きのワゴン本体５２と、このワゴン本体５２上に傾斜可能に設けられた平板状の商品載置体５３等を備えている。
商品載置体５３は、ワゴン本体５２の上面上に青果等の商品を陳列するためのもので、この商品載置体５３の前端下部はワゴン本体５２上の前部に蝶番等の枢支部材５４により傾動可能に支持され、さらに商品載置体５３の後端寄りの左右両側部には、商品載置体５３をワゴン本体５２の上面に対して任意の角度に傾斜させた状態に保持する細幅の金属板材からなる支え部材５５の一端がそれぞれ揺動可能に連結されている。また、各支え部材５５には、複数の係止用切欠き５６が支え部材５５の長手方向に沿って所定の間隔で形成されており、さらに、ワゴン本体５２の左右の後部支柱５２１には各支え部材５５に対応して係止ピン５７がそれぞれ設けられており、この係止ピン５７に任意の係止用切欠き５６を係止することにより、商品載置体５３を傾斜した状態に保持するように構成されている。
【０００４】
すなわち、係止ピン５７に対して支え分部材５５の係止用切欠き５６の係止位置を変えることにより、商品載置体５３を図６の実線に示す傾斜角度位置Ｐ１、２点鎖線に示す傾斜角度位置Ｐ２等に調節することができるとともに、支え分部材５５の係止用切欠き５６を係止ピン５７に係止されない状態にすれば、図６のＰ３で示す位置、すなわち商品載置体５３がワゴン本体５２の上面上に水平に載置された傾斜角０度の状態に設定することができる。
【０００５】
【発明が解決しようとする課題】
しかしながら、上記のような従来の商品陳列用ワゴンでは、商品の陳列された商品載置体５３の傾斜角度を調整する場合、店員が商品陳列用ワゴンの後方に回り込んだ状態で商品載置体５３を後方から支え、この状態で他の店員が支え分部材５５の係止用切欠き５６を後部支柱５２１の係止ピン５７から外し、商品載置体５３を希望する角度に傾斜させた後、再び支え分部材５５の係止用切欠き５６を係止ピン５７に係止する必要があるため、この傾斜角度の調整には少なくとも２人の人手を要するとともに、商品陳列用ワゴンが壁面に近接して配置されている場合には、支え分部材５５をワゴン本体５２の後方から操作できる位置に商品陳列用ワゴンを移動する必要がある。このため、商品載置体５３の傾斜角度調整操作が煩雑になり、多くの人手を要するという不具合があった。
【０００６】
本発明は上記のような従来の問題を解決するもので、本発明の目的は、商品載置体の傾斜角度をワゴン本体の側方から簡便にかつ容易に調節できる商品陳列用ワゴンを提供することにある。
【０００７】
【課題を解決するための手段】
上記目的を達成するために本発明の商品陳列用ワゴンは、水平上面を有するキャスタ付きのワゴン本体と、前記ワゴン本体上に該ワゴン本体の水平上面に対して任意の角度に傾動可能に設けられた商品載置体と、前記商品載置体と前記ワゴン本体間に連結され、前記商品載置体の傾動操作に連動して伸縮されるとともに前記商品載置体に対して傾斜角度が大きくなる方向の付勢力を付与する付勢手段と、前記ワゴン本体の水平上面に該ワゴン本体の前後方向に延在して配設され、この延在方向に前記商品載置体の傾斜角度を異なる角度に設定する複数の係止部を有する傾斜角度設定手段と、前記商品載置体に揺動可能に連結され、前記商品載置体を傾斜された姿勢に支持する支持手段を備え、前記支持手段の揺動端を前記傾斜角度設定手段の任意１つの係止部に係合して前記商品載置体を任意の傾斜姿勢に保持することを特徴とする。
【０００８】
本発明はまた、前記傾斜角度設定手段の上方に該傾斜角度設定手段から所望間隔離して平行に配設され、前記支持手段の揺動端を傾斜角度設定手段の延在方向に移動可能に案内する案内手段を備えることを特徴とする。
本発明はまた、前記支持手段の揺動端を前記傾斜角度設定手段の係止部に係止状態にロックするロック手段を備えることを特徴とする。
本発明はまた、前記支持手段が該支持手段の揺動端を前記案内手段に沿って操作するための把手を備えることを特徴とする。
本発明はまた、前記付勢手段がガススプリングであることを特徴とする。
【０００９】
本発明においては、商品陳列用ワゴンを移動することなく、商品載置体の傾斜角度をワゴン本体の側方から片手操作で簡便に調節することができる。
また、本発明においては、傾斜角度設定手段の上方に所望間隔離して案内手段を平行に配設し、この案内手段により支持手段の揺動端を移動可能に案内できるから、商品載置体の傾動操作時に支持手段の揺動端が傾斜角度設定手段から離脱することがなく、商品載置体の傾動操作が容易になり、商品載置体の角度設定も片手操作で容易にできる。
また、本発明においては、支持手段の揺動端を傾斜角度設定手段の係止部に係止状態にロックするロック手段を備えることにより、商品載置体を任意の傾斜角度に安定して保持できる。
【００１０】
【発明の実施の形態】
以下、本発明の実施の形態について、図１〜図５を参照して説明する。
図１は本発明の実施の形態における商品陳列用ワゴンの斜視図、図２は本発明の実施の形態における商品陳列用ワゴンの分解斜視図、図３は本発明の実施の形態における商品陳列用ワゴンの側面図、図４は本発明の実施の形態における商品載置体の支持手段、支持手段の案内手段及びロック手段の詳細を示す要部の斜視図、図５は本発明の実施の形態における商品載置体の傾斜角度を調整する場合の動作説明図である。
【００１１】
図１〜図３において、商品陳列用ワゴン１０は、ワゴン本体１１、商品載置体１２、付勢手段１３、傾斜角度設定手段１４、支持手段１５、案内手段１６及びロック手段１７等を備えている。
前記ワゴン本体１１は、図１〜図３に示すように、四角状の天枠１１１と、この天枠１１１の四隅部分に鉛直に設けた支柱１１２と、この前後左右方向の各支柱１１２間に差し渡し状態に設けた連結部材１１３を備え、各支柱１１２の下端には自在キャスタ１１４がそれぞれ取り付けられている。
【００１２】
前記商品載置体１２は、ワゴン本体１１上に青果等の商品を陳列するためのもので、所定の表面積を有する四角状の板材から構成され、この商品載置体１２の前縁端及び左右の側縁には商品脱落防止板１２１及び１２２がそれぞれ取り付けられている。
そして、この商品載置体１２の前端下部は、ワゴン本体１１上の前端部に蝶番等の枢支部材１８に回動可能に支持され、ワゴン本体１１の水平上面１１Ａと一致する傾斜角度ゼロの姿勢、及びワゴン本体１１の水平上面１１Ａに対して任意の角度に傾斜される姿勢に調節できるように構成されている。
【００１３】
前記付勢手段１３は、商品載置体１２とワゴン本体１１間に連結され、商品載置体１２の傾動操作に連動して伸縮されるとともに商品載置体１１に対して傾斜角度が大きくなる方向に付勢力を付与するもので、例えばガススプリングが使用される。
この付勢手段１３、即ちガススプリングは、図１ないし図３に示すように、シリンダ１３１と、このシリンダ１３１内にピストンロッド１３２と一体に軸方向に摺動可能に設けた流通穴付きのピストン（図示省略）、及びシリンダ１３１内に軸方向に摺動可能に設けたフリーピストン（図示省略）を備え、ピストンで区画される両シリンダ室内には油等の液体が充填され、更にフリーピストンで区画されたシリンダ室内には窒素ガス等の圧縮ガスが充填されている。
【００１４】
このように構成されたガススプリング１３のピストンロッド１３２は、ワゴン本体１１の前後方向の中間より前寄りにおいて天枠１１１の左右方向に差し渡し状態に横架固定した横部材１１５の中間部に取付部１３３を介して揺動可能に連結され、さらにシリンダ１３１の一端は商品載置体１２の後端寄りの左右方向の中間部に取付部１３４を介して揺動可能に連結されている。
【００１５】
前記傾斜角度設定手段１４は、図１ないし図３に示すように、商品載置体１２をワゴン本体１１の水平上面１１Ａに対して任意の複数の傾斜角度を、例えば、陳列される青果商品の種類に応じて０度、１５度、２２度、３０度などに設定するためのもので、商品載置体１２の左右両端部に対向してワゴン本体１１上の後部寄りに、ワゴン本体１１の前後方向に延在して配設された一対のチャンネル部材１４１を備え、この両チャンネル部材１４１の起立側片１４１Ａには、商品載置体１２の傾斜角度を、例えば０度、１５度、２２度、３０度などに設定する係止用の切欠き部１４２が任意の間隔をおいて形成されている。
【００１６】
前記傾斜角度設定手段１４をワゴン本体１１上に配設する方法としては、前記横部材１１５の他に、ワゴン本体１１の後端部寄りにおいて天枠１１１の左右方向に差し渡し状態に横架固定した横部材１１６を設け、この横部材１１６と前記横部材１１５間にチャンネル部材１４１の両端を差し渡し状態に横架固定することにより配設される。そして、チャンネル部材１４１の中間部には、チャンネル部材１４１を下面から支える横部材１１７が天枠１１１の左右方向に差し渡し状態に横架固定されている。
【００１７】
前記支持手段１５は、商品載置体１２の前後方向の中間部より前寄りの左右両側に揺動可能に連結した一対の支え部材１５１と、この両支え部材１５１間を平行になるよう連結する連結部材１５２と、両支え部材１５１の揺動先端間に横架固定され、傾斜角度設定手段１４の各係止用切欠き部１４２に係脱される支持ロッド１５３を備え、さらに両支え部材１５１には操作用の把手１５４がそれぞれ設けられている。
【００１８】
前記案内手段１６は、図１ないし図３及び図４に示すように、傾斜角度設定手段１４の各チャンネル部材１４１の上方に位置して、各チャンネル部材１４１と平行にかつ各チャンネル部材１４１から所望の間隔（支持手段１５の支持ロッド１５３に径より僅かに大きい間隔）離して配設された一対の案内部材１６１を有し、この各案内部材１６１の両端は横部材１１５と１１６に差し渡し状態にしてボルトナット１６２により横部材１１５と１１６に固定されている。
そして、チャンネル部材１４１と案内部材１６１間に形成された間隙１６３には支持手段１５の支持ロッド１５３が案内部材１６１の長手方向に沿って移動可能に係合されている。
【００１９】
前記ロック手段１７は、支持手段１５の揺動端に設けた支持ロッド１５３をチャンネル部材１４１の係止用切欠き部１４２に係止状態にロックするためのものであって、図１、図２及び図４に示すように、案内部材１６１の幅寸法に合わせて略コ字状に折り曲げたロック部材１７１を備え、このロック部材１７１は案内部材１６１にその上方からまたがる形で係合され、そして案内部材１６１の長手方向に移動できる構成になっている。
また、チャンネル部材１４１の側部と対向するロック部材１７１の側片１７２には、チャンネル部材１４１の係止用切欠き部１４２に係合された支持ロッド１５３に係合して支持ロッド１５３をロック状態に保持するＵ字状の切欠き部１７３が形成されている。また、このロック部材１７１はねじ１７４などにより案内部材１６１に固定される構成になっている。
【００２０】
上記のように構成された商品陳列用ワゴン１０において、ワゴン本体１１の水平上面に対する商品載置体１２の傾斜角度を調節する場合について説明する。
例えば、図１に示すように最大の傾斜角度（３０度）に設定されている商品載置体１２を傾斜角度２２度の傾斜に設定する場合は、まず、図４に示す状態にあるロック部材１７１のねじ１７４を取り外して、ロック部材１７１を矢印Ａ１の方向に移動することにより、ロック部材１７１の切欠き１７３を支持ロッド１５３から外す。
【００２１】
かかる状態で、支持手段１５の一方の把手１５４を手により把持し、支持手段１５全体を図５（Ａ）に示す矢印Ｂ１方向に、その支持ロッド１５３が案内部材１６１に当接するまで持ち上げて、支持ロッド１５３を最大の傾斜角度３０度の位置Ｐ１にある切欠き部１４２から離脱させる。この時、商品載置体１２には付勢手段、即ちガススプリング１３の上方への付勢力が作用しているため、上記支持手段１４の操作時に商品載置体１２の荷重がほとんど作用することがない。
その後、支持手段１５の把手１５４を手により把持したまま、支持手段１５の支持ロッド１５３を案内部材１６１に沿って間隙１６３内を図５（Ｂ）に示す矢印Ｃ１の方向に移動させる。これに連動して商品載置体１２は傾斜角度が小さくなる方向に傾動される。そして、支持ロッド１５３が図５（Ｂ）に示す位置Ｐ２の切欠き部１４２と一致する状態まで移動されたならば、支持手段１５を図５（Ｃ）に示す矢印Ｂ２の方向に押し下げ、支持ロッド１５３を位置Ｐ２の切欠き部１４２に係合する。しかる後、ロック部材１７１を位置Ｐ２まで移動して、その切欠き部１７３を支持ロッド１５３に係合し、ロック部材１７１をねじ１７４で案内部材１６１に締め付けることにより、支持ロッド１５３を傾斜角度設定手段１４のチャンネル部材１４１にロックする。これにより、商品載置体１２は、傾斜角度が２２度に傾斜する姿勢に保持される。
【００２２】
また、図５（Ｂ）の移動過程にある支持手段１５の支持ロッド１５３を案内部材１６１に沿い図５（Ｃ）の位置Ｐ３に移動して、その切欠き部１４２に係合した後、ロック部材１７１でチャンネル部材１４１にロックすれば、商品載置体１２は、１５度の角度に傾斜した姿勢に保持されることになる。
また、図５（Ｂ）の移動過程にある支持手段１５の支持ロッド１５３を案内部材１６１に沿い図５（Ｃ）の位置Ｐ４に移動して、その切欠き部１４２に係合した後、ロック部材１７１でチャンネル部材１４１にロックすれば、商品載置体１２は、０度、即ちワゴン本体１１の水平上面と一致する姿勢に保持されることになる。
【００２３】
このように本実施の形態によれば、ワゴン本体１１上にその水平上面に対して任意の角度に傾動可能に設けられた商品載置体１２とワゴン本体１１間にガススプリング１３の両端を連結し、ワゴン本体１１の水平上面には商品載置体１２の傾斜角度を異なる角度に設定する傾斜角度設定手段１４を配設し、さらに、商品載置体１２には、商品載置体１２を傾斜された姿勢に支持する支持手段１５を揺動可能に連結し、支持手段１５の揺動端に設けた支持ロッド１５３を傾斜角度設定手段１４のチャンネル部材１４１に設けた傾斜角度設定用の切欠き部１４２に係合することにより、商品載置体１２を任意の傾斜姿勢に保持する構成にしたので、商品陳列用ワゴンを移動することなく、１人で商品載置体１２の傾斜角度をワゴン本体１１の側方から片手操作により簡便に調節することができる。
【００２４】
また、傾斜角度設定手段１４の上方にチャンネル部材１４１から所望間隔離して案内部材１６１を平行に配設し、この案内部材１６１とチャンネル部材１４１間に形成された間隙１６３内に支持手段１５の支持ロッド１５３を案内部材１６１の長手方向に移動可能に係合したので、商品載置体１２の傾動操作時に支持手段１５の支持ロッド１５３が傾斜角度設定手段１４から離脱することがなく、商品載置体１２の傾動操作が容易になるとともに、商品載置体１２の０度、１５度、２２度、３０度などへの角度設定も片手操作で容易に行うことができる。
また、支持手段１５の支持ロッド１５３を傾斜角度設定手段１４の係止用切欠き部１４２に係止状態にロックするロック手段１７を備えることにより、商品載置体１２を任意の傾斜角度に安定して保持できる。
【００２５】
なお、上記実施の形態では、傾斜角度設定手段１４をワゴン本体１１の水平上面の左右箇所に一対設けた場合について説明したが、本発明はこれに限定されず、傾斜角度設定手段１４が１つであつてもよい。また、これに対応して、支持手段１５の支え部材１５１が１つであってもよい。
また、本発明における付勢手段１３はガススプリングに限らず、通常のコイルばねを組み合わせた構成のものであってもよい。
【００２６】
【発明の効果】
以上の説明から明らかなように本発明の商品陳列用ワゴンによれば、ワゴン本体上にその水平上面に対して任意の角度に傾動可能に設けた商品載置体とワゴン本体間にガススプリング等の付勢手段の両端を連結し、ワゴン本体の水平上面には商品載置体の傾斜角度を異なる角度に設定する傾斜角度設定手段を配設し、さらに、商品載置体には、商品載置体を傾斜された姿勢に支持する支持手段を揺動可能に連結し、この支持手段の揺動端を傾斜角度設定手段の傾斜角度設定用の係止部に係合することにより、商品載置体を任意の傾斜姿勢に保持する構成にしたので、商品陳列用ワゴンを移動することなく、商品載置体の傾斜角度をワゴン本体の側方から片手操作で簡便に調節することができる。
【００２７】
また、本発明によれば、傾斜角度設定手段の上方に所望間隔離して案内手段を平行に配設し、この案内手段と傾斜角度設定手段間に形成された間隙内に支持手段の揺動端を案内手段の長手方向に移動可能に係合したので、商品載置体の傾動操作時に支持手段の揺動端が傾斜角度設定手段から離脱することがなく、商品載置体の傾動操作が容易になるとともに、商品載置体の角度設定も片手操作で容易に行うことができる。
また、本発明によれば、支持手段の揺動端を傾斜角度設定手段の係止部に係止状態にロックするロック手段を備えることにより、商品載置体を任意の傾斜角度に安定して保持できるという効果を有する。
【図面の簡単な説明】
【図１】本発明の実施の形態における商品陳列用ワゴンの斜視図である。
【図２】本発明の実施の形態における商品陳列用ワゴンの分解斜視図である。
【図３】本発明の実施の形態における商品陳列用ワゴンの側面図である。
【図４】本発明の実施の形態における商品載置体の支持手段、支持手段の案内手段及びロック手段の詳細を示す要部の斜視図である。
【図５】本発明の実施の形態における商品載置体の傾斜角度を調整する場合の動作説明図である。
【図６】従来における商品陳列用ワゴンの側面図である。
【符号の説明】
１０  商品陳列用ワゴン
１１  ワゴン本体
１１４  自在キャスタ
１２  商品載置体
１３  付勢手段
１４  傾斜角度設定手段
１４２  係止用の切欠き部（係止部）
１５  支持手段
１６  案内手段
１７  ロック手段
【図１】
0004247859.tif 000002
【図２】
0004247859.tif 000003
【図３】
0004247859.tif 000004
【図４】
0004247859.tif 000005
【図５】
0004247859.tif 000006
【図６】
0004247859.tif 000007